(57)【特許請求の範囲】
【請求項１】
主引出しと、該主引出しと連動して引き出される副引出しと、該副引出しを閉鎖方向に移動させる移動エネルギーを蓄積するエネルギー蓄積手段と、を備えるキャビネットであって、
前記エネルギー蓄積手段は、前記主引出しが閉鎖方向に移動するときに前記移動エネルギーを蓄積することを特徴とするキャビネット。
【請求項２】
前記エネルギー蓄積手段は、前記主引出しと前記副引出しとが連動するときに、前記移動エネルギーを保持することを特徴とする請求項１に記載のキャビネット。
【請求項３】
前記主引出しが、前記副引出しが引き出される引出限界位置よりもさらに引き出されて前記主引出しと前記副引出しとの連動が解除された後に、前記エネルギー蓄積手段は、前記移動エネルギーを解放することを特徴とする請求項１または２に記載のキャビネット。
【請求項４】
前記エネルギー蓄積手段は、弾性体を変形させることで前記移動エネルギーを蓄積することを特徴とする請求項１ないし３のいずれかに記載のキャビネット。
【請求項５】
前記エネルギー蓄積手段は、回動自在に設けられた回動部材と、該回動部材を、前記移動エネルギーを解放する解放回動方向、または前記移動エネルギーを蓄積する蓄積回動方向のいずれか一方向に回動付勢する付勢部材と、を有し、前記両回動方向を切り換える切換手段を備えることを特徴とする請求項１ないし４のいずれかに記載のキャビネット。
【請求項６】
前記主引出しと前記副引出しとは、互いに設けられた磁性体同士の吸引力によって連動されることを特徴とする請求項１ないし５のいずれかに記載のキャビネット。
【請求項７】
前記副引出しの奥行き長さは、前記主引出しの奥行き長さよりも短く構成され、前記主引出しと前記副引出しとは、互いの後部同士が前記磁性体により連結されることを特徴とする請求項６に記載のキャビネット。
【請求項８】
前記エネルギー蓄積手段が前記移動エネルギーを蓄積した後に、前記主引出しが閉鎖方向に移動する移動速度を減速させる減速手段を備えることを特徴とする請求項１ないし７に記載のキャビネット。
【発明の詳細な説明】
【技術分野】
【０００１】
本発明は、主引出しと連動して引き出される副引出しを備え、エネルギー蓄積手段に蓄積された移動エネルギーを解放させることで、副引出しを閉鎖方向に移動させるキャビネットに関する。
【背景技術】
【０００２】
従来、キャビネットに設けられる引出し装置には、引出し（主引出し）と、引出しの上方に設けられた内引出し（副引出し）とを備え、この引出しの扉裏面には、永久磁石が設けられるとともに、内引出しの前面部にも永久磁石が設けられており、引出しをキャビネット内から引き出す際に、永久磁石同士が磁着されることにより、引出しの移動に連動して内引出しが引き出されるようになっている。この内引出しの後端下部には、バネ（エネルギー蓄積手段）が取り付けられており、内引出しが引出しとともに引き出される際に、バネがキャビネット本体の前面板の裏面に当接して圧縮され、両引出しが開放方向に移動する移動エネルギーをバネに蓄積し、内引出しの引き出し限界よりも引出しを引き出された際に、前記永久磁石同士が分離して、バネが伸張する弾性力（作用）を利用して内引出しが閉鎖方向に移動するようにしている（例えば、特許文献１参照）。
【０００３】
【特許文献１】特開２００６−１４１７９６号公報（第５頁、第３図）
【発明の開示】
【発明が解決しようとする課題】
【０００４】
しかしながら、特許文献１に記載の引出し装置にあっては、内引出し（副引出し）が自動的に閉鎖方向に移動されるため、使用者は内引出しを操作しなくてもよく、使い勝手がよくなっているが、両引出しが連動されながら開放方向に移動する際に、その移動エネルギーをバネ（エネルギー蓄積手段）に蓄積するようになっているため、両引出しを引き出す際には、バネの弾性力（作用）に抗する力で引き出さなければならず、引き出し操作がスムーズに行えないばかりか、引出しと内引出しが分離する前に、使用者が把手から手を放してしまうと、バネに蓄積されたエネルギーが解放されてしまい、引出しと内引出しとが閉鎖方向に移動してしまう虞があり、内引出し内の収納物を取り出す際には、常に使用者が引出しの把手を把持していなければならず、使用者の片手が塞がってしまうので内引出しの収納物が取り出し難くなるという問題がある。
【０００５】
本発明は、このような問題点に着目してなされたもので、エネルギー蓄積手段に蓄積された移動エネルギーを解放させることにより、副引出しが閉鎖方向に移動されるキャビネットにおいて、主引出しと副引出しとを引き出す際に、主引出しと副引出しとが閉鎖方向に移動する虞がなく、かつ副引出し内の収納物を取り出し易いキャビネットを提供することを目的とする。
【課題を解決するための手段】
【０００６】
前記課題を解決するために、本発明の請求項１に記載のキャビネットは、
主引出しと、該主引出しと連動して引き出される副引出しと、該副引出しを閉鎖方向に移動させる移動エネルギーを蓄積するエネルギー蓄積手段と、を備えるキャビネットであって、
前記エネルギー蓄積手段は、前記主引出しが閉鎖方向に移動するときに前記移動エネルギーを蓄積することを特徴としている。
この特徴によれば、主引出しと副引出しとを引き出すときには、エネルギー蓄積手段は両引出しに対していかなる作用も生じさせないため、主引出しと副引出しとを引き出し易くなる。そのため主引出しと副引出しとが連動している状態であっても、使用者が主引出しから手を放すことができ、使用者は両手を用いて副引出し内の収納物を容易に取り出すことができる。
【０００７】
本発明の請求項２に記載のキャビネットは、請求項１に記載のキャビネットであって、
前記エネルギー蓄積手段は、前記主引出しと前記副引出しとが連動するときに、前記移動エネルギーを保持することを特徴としている。
この特徴によれば、主引出しと副引出しとが連動している状態では、両引出しを開放方向に移動させても、閉鎖方向に移動させても、エネルギー蓄積手段に蓄積された移動エネルギーが両引出しに対していかなる作用も生じさせず、蓄積されている移動エネルギーを解放する虞もないため、両引出しの引き出し操作を行い易くなる。
【０００８】
本発明の請求項３に記載のキャビネットは、請求項１または２に記載のキャビネットであって、
前記主引出しが、前記副引出しが引き出される引出限界位置よりもさらに引き出されて前記主引出しと前記副引出しとの連動が解除された後に、前記エネルギー蓄積手段は、前記移動エネルギーを解放することを特徴としている。
この特徴によれば、主引出しと副引出しとが連動している状態では、使用者は、副引出しが閉鎖方向に移動することがないことを認識しながら、両引出しの引き出し操作を行うことができ、かつ使用者が、副引出しを閉鎖方向に移動させたい場合には、主引出しを副引出しの引出限界位置よりもさらに引き出すようにすればよく、主引出し及び副引出しの使い勝手がよくなる。
尚、主引出しと副引出しとの連動が解除されてから、主引出しが所定距離引き出された後に、エネルギー蓄積手段の移動エネルギーが解放されるように設定すれば、両引出しの連動が解除されたことを使用者が認識することで、使用者は、副引出しが引出限界位置にあることを容易に認識することができ、使用者は、両引出しの連結が解除された直後に、主引出しを引き出す操作をやめれば、副引出しを最も大きく開口した状態で使用することができる。
【０００９】
本発明の請求項４に記載のキャビネットは、請求項１ないし３のいずれかに記載のキャビネットであって、
前記エネルギー蓄積手段は、弾性体を変形させることで前記移動エネルギーを蓄積することを特徴としている。
この特徴によれば、変形して移動エネルギーを蓄積できる弾性体を用いてエネルギー蓄積手段を容易に構成することができる。
【００１０】
本発明の請求項５に記載のキャビネットは、請求項１ないし４のいずれかに記載のキャビネットであって、
前記エネルギー蓄積手段は、回動自在に設けられた回動部材と、該回動部材を、前記移動エネルギーを解放する解放回動方向、または前記移動エネルギーを蓄積する蓄積回動方向のいずれか一方向に回動付勢する付勢部材と、を有し、前記両回動方向を切り換える切換手段を備えることを特徴としている。
この特徴によれば、切換手段が付勢部材による回動部材の回動付勢方向を切り換えることで、移動エネルギーがエネルギー蓄積手段に蓄積されたり、解放されたりするようになり、回動部材と付勢部材という簡素な構成でエネルギー蓄積手段を製作できる。
【００１１】
本発明の請求項６に記載のキャビネットは、請求項１ないし５のいずれかに記載のキャビネットであって、
前記主引出しと前記副引出しとは、互いに設けられた磁性体同士の吸引力によって連動されることを特徴としている。
この特徴によれば、磁性体を主引出しと副引出しとに設けるだけで、磁性体同士の吸引力を利用して、主引出しと副引出しとの連動及び解除を容易に行うことができる。
【００１２】
本発明の請求項７に記載のキャビネットは、請求項６に記載のキャビネットであって、
前記副引出しの奥行き長さは、前記主引出しの奥行き長さよりも短く構成され、前記主引出しと前記副引出しとは、互いの後部同士が前記磁性体により連結されることを特徴としている。
この特徴によれば、主引出しの前部側には、副引出しに干渉されない収納空間が形成されるようになり、副引出しを閉鎖方向に移動させなくても主引出しの前部側に収納された収納物を取り出すことができ、かつ主引出しの前部側に背の高い収納物を収納させることもできる。
【００１３】
本発明の請求項８に記載のキャビネットは、請求項１ないし７のいずれかに記載のキャビネットであって、
前記エネルギー蓄積手段が前記移動エネルギーを蓄積した後に、前記主引出しが閉鎖方向に移動する移動速度を減速させる減速手段を備えることを特徴としている。
この特徴によれば、主引出しが閉鎖方向に移動する移動エネルギーが、減速手段により低減されていない状態で、移動エネルギーをエネルギー蓄積手段に蓄積できるため、大きな移動エネルギーを蓄積し易くなっており、かつ減速手段により主引出しの閉鎖完了時にスムーズに主引出しの移動を停止させることができる。
【発明を実施するための最良の形態】
【００１４】
本発明に係るキャビネットを実施するための最良の形態を実施例に基づいて以下に説明する。
【実施例１】
【００１５】
本発明の実施例を図面に基づいて説明すると、先ず図１は、実施例１におけるキャビネットの全体像を示す斜視図であり、図２は、キャビネット本体内に主引出し及び副引出しが収納された状態を示す拡大縦断側面図であり、図３は、副引出しが引出限界位置まで引き出された状態を示す拡大縦断側面図であり、図４は、主引出しのトリガーピンがバネ機構に係合する状態を示す拡大縦断側面図であり、図５は、バネ機構が動作して副引出しが後退した状態を示す拡大縦断側面図であり、図６は、主引出しを後方に向かって移動させる際にトリガーピンがバネ機構に係合する状態を示す拡大縦断側面図であり、図７は、バネ機構にエネルギーが蓄積されてソフトクローザーが働く状態を示す拡大縦断側面図であり、図８（ａ）は、主引出しの引出し時にトリガーピンがバネ機構のカムに係合する状態を示す横断平面図であり、図８（ｂ）は、バネ機構が動作して後方に付勢される状態を示す横断平面図であり、図８（ｃ）は、バネ機構が後退する状態を示す横断平面図であり、図９（ａ）は、主引出しの閉鎖時にトリガーピンがバネ機構のカムに係合する状態を示す横断平面図であり、図９（ｂ）は、バネ機構にエネルギーが蓄積される状態を示す横断平面図であり、図９（ｃ）は、バネ機構にエネルギーが蓄積完了した状態を示す横断平面図である。以下、図２、図３、図４、図５、図６、図７の紙面左方側をキャビネットの正面側（前方側）とし、図８、図９の紙面下方側をキャビネットの正面側（前方側）として説明する。
【００１６】
図１の符号１は、本発明の適用されたキャビネットである。このキャビネット１は書類や食器、日用雑貨等、多岐に亘って収納可能となっている。このキャビネット１は、正面側に開口する開口部を有するキャビネット本体２を有し、このキャビネット本体２の開口部には、複数（２つ）の主引出し３が設けられている。尚、この主引出し３内には、副引出し４が設けられている。
【００１７】
図２に示すように、主引出し３は、キャビネット本体２内に収納される収納箱体５と、使用者が把持する把手７を有する前板６と、から構成されている。収納箱体５は、上方に開口した収納部５ａを有する略箱体状に形成されている（図１参照）。
【００１８】
また、主引出し３は、キャビネット本体２内に収納（閉鎖）されて主引出し３の収納位置と、主引出し３が正面側に限界まで引き出される主引出しの引出限界位置Ｓ１との間で、前後方向に移動できるようになっている（図５参照）。尚、主引出し３の前板６は、主引出し３がキャビネット本体２内に収納された状態で、副引出し４を正面から隠蔽する大きさに形成されている。
【００１９】
主引出し３の収納部５ａ上方には、上方に開口する収納部８ａを備えた略箱状の収納箱体８を有する副引出し４が設けられている（図１参照）。尚、副引出し４の重量は、主引出し３の重量よりも軽く形成されるとともに、副引出し４の奥行き長さは、主引出し３の奥行き長さよりも短く形成されている。
【００２０】
また、副引出し４は、主引出し３と同じく、キャビネット本体２内の副引出し４の収納位置と、副引出し４が正面側に限界まで引き出される副引出しの引出限界位置Ｓ２との間で前後方向に移動できるようになっている（図３参照）。
【００２１】
尚、主引出し３の前板６の背面側と、副引出し４の収納箱体８正面側との間には、所定の前後幅を有する空間部９（収納空間）が設けられている。この空間部９が設けられることにより、主引出し３の前部側に背の高い収納物を収納させることができる。
【００２２】
本実施例では、キャビネット１の右側とは、使用者がキャビネット１の正面に立って右側のことであり、キャビネット１の左側とは、使用者がキャビネット１の正面に立って左側のこととして以下に説明する。
【００２３】
図１に示すように、主引出し３の左右側部５ｂとキャビネット本体２の側板２ａ間には、主引出し３を前後方向に摺動させるスライドレール１０が設けられている。このスライドレール１０によって、主引出し３は、主引出し３の収納位置と主引出しの引出限界位置Ｓ１との間で、開放方向（前方向）及び閉鎖方向（後方向）に自在に移動できるようになっている（図５参照）。
【００２４】
また、図２に示すように、スライドレール１０の後端部には、主引出し３がキャビネット本体２内に収納されるときに、主引出し３の移動速度を減速させるための本実施例における減速手段としてのソフトクローザー１１（緩衝装置）が設けられている。
【００２５】
更に、図２に示すように、主引出し３の収納箱体５の背板５ｃの背面側には、後述する副引出し４の金属片１２（磁性体）に吸引される永久磁石１３（磁性体）が設けられている。更に、背板５ｃの上端部には、本実施例における切換手段としてのトリガーピン１４が副引出し４に向けて立設されている（図８（ａ）参照）。
【００２６】
図１に示すように、副引出し４の左右側部８ｂとキャビネット本体２の側板２ａ間には、主引出し３と同じくスライドレール１５が設けられている。このスライドレール１５によって、副引出し４は、副引出し４の収納位置と副引出しの引出限界位置Ｓ２との間で、前後方向に移動できるようになっている。
【００２７】
また、スライドレール１５の後端部には、スライドレール１０と同じくソフトクローザー１１が設けられている。尚、図３及び図５に示すように、キャビネット本体２の正面側から主引出しの引出限界位置Ｓ１までの距離は、キャビネット本体２の正面側から副引出しの引出限界位置Ｓ２までの距離よりも長くなっている。
【００２８】
図２に示すように、副引出し４の後端部には、本実施例における磁性体としての金属片１２が下方に向かって延設されており、この金属片１２は、前述した主引出し３の永久磁石１３に吸着されるようになっている。これら永久磁石１３と金属片１２とが、互いに吸引して接合されることによって、主引出し３と副引出し４とが連結されるようになっており、主引出し３がキャビネット本体２内から引き出されると、副引出し４が主引出し３に連動してキャビネット本体２内から引き出されるようになる。
【００２９】
また、図１及び図２に示すように、副引出し４の下面における右方側には、本実施例におけるエネルギー蓄積手段としてのバネ機構１６が設けられている。図８（ａ）に示すように、バネ機構１６は、左方側に外部と連通する開口部１７ｂが形成された薄型箱体形状をなすケース体１７を有し、このケース体１７内には、本実施例における回動部材としてのカム１８が配置され、ケース体１７には、カム１８の軸１８ａを軸支する軸孔１７ａが形成されている。
【００３０】
また、カム１８は、平面視で略半円形状に形成され、この半円の中心に軸１８ａが設けられている。更に、カム１８の一部は、ケース体１７の開口部１７ｂから外部に突出されるようになっている。更に、カム１８を回動付勢する本実施例における弾性体及び付勢部材としてのバネ１９（コイルバネ）が設けられている。また、ケース体１７の内壁下面には、上方に向かって平面視で円形状をなすストッパー２０が立設されている。
【００３１】
また、カム１８の円弧を形成している端縁部から径方向にかけて、主引出し３のトリガーピン１４が係合する係合溝１８ｂが形成されている。尚、この係合溝１８ｂは、後述するように、主引出し３に固定されたトリガーピン１４が係合状態を維持できるように、径方向にむかって所定の長さを有している。
【００３２】
更に、カム１８には、ストッパー２０が挿通される平面視で略円弧状をなす規制溝１８ｃが形成されている。この規制溝１８ｃ内にストッパー２０が配置されることによって、カム１８の回動範囲が規制されている。尚、カム１８の回動範囲が規制されることによって、係合溝１８ｂは、常にカム１８の開口部１７ｂからケース体１７の外部に突出されるようになっている。
【００３３】
図８（ｃ）に示すように、カム１８の上面側（紙面手前側）において、軸１８ａと規制溝１８ｃ間には、バネ１９を係止する係止部１８ｄが設けられているとともに、ケース体１７の右後端部には、同じくバネ１９を係止する係止部１７ｃが設けられている。これら係止部１７ｃ，１８ｄ間にバネ１９が掛け渡されている。尚、バネ１９は、伸張して弾性変形することで、その弾性力を蓄積するようになっているとともに、圧縮して弾性復元することで、その弾性力を解放するようになっている。
【００３４】
尚、図８（ａ）に示すように、バネ１９が伸張された状態から図８（ｃ）に示すように、バネ１９が圧縮された状態になる回動方向、すなわちカム１８が平面視で反時計回りに回動する回動方向を解放回動方向と称する。更に尚、図９（ａ）に示すように、バネ１９が圧縮された状態から図９（ｃ）に示すように、バネ１９が伸張された状態になる回動方向、すなわちカム１８が平面視で時計回りに回動する回動方向を蓄積回動方向と称する。
【００３５】
図９（ａ）から図９（ｃ）に示すように、バネ機構１６のカム１８の係合溝１８ｂにトリガーピン１４が係合することによって、カム１８が蓄積回動方向に回動されると、カム１８の上面に設けられている係止部１８ｄも蓄積回動方向に回動するので、バネ１９は係止部１７ｃを固定端としてカム１８を蓄積回動方向に回動付勢する。それに伴ってバネ１９は伸張して弾性エネルギーが蓄積される。
【００３６】
図９（ｃ）に示すように、ストッパー２０が規制溝１８ｃを係止することで、カム１８の蓄積回動方向の回動が停止される。このとき、バネ１９には、伸張されたことにより元の長さに圧縮しようとする復元力が働き、係止部１８ｄが係止部１７ｃと軸１８ａを結ぶ仮想線Ｖ１を越えた位置でカム１８の回動が停止されているため、バネ１９の復元力はカム１８を蓄積回動方向に付勢するようになり、バネ１９は伸張された状態、すなわち弾性エネルギーを蓄積した状態で保持される。
【００３７】
図８（ａ）から図８（ｃ）に示すように、バネ機構１６のカム１８の係合溝１８ｂにトリガーピン１４が係合することによって、カム１８が解放回動方向に回動されると、カム１８の上面に設けられている係止部１８ｄも解放回動方向に回動するので、バネ１９は係止部１７ｃを固定端としてカム１８を解放回動方向に回動付勢する。それに伴ってバネ１９は圧縮して弾性エネルギーが解放される。
【００３８】
このとき、係止部１８ｄが係止部１７ｃと軸１８ａを結ぶ仮想線Ｖ１を越えると、カム１８の蓄積回動方向に働いていたバネ１９の復元力の向きがカム１８の解放回動方向に切り換えられるので、バネ１９は復元力によりカム１８を解放回動方向に回動させながら図８（ｃ）に示すように、元の圧縮された長さに戻る。
【００３９】
尚、後述するように、バネ機構１６と金属片１２との間には、所定の間隔が形成されている。副引出し４のスライドレール１５が限界まで引き出されることによって、副引出しが引出限界位置Ｓ２まで引き出され、主引出し３と副引出し４の連結が解除されると、主引出し３に設けられたトリガーピン１４は、バネ機構１６と金属片１２との間を所定距離移動した後に、バネ機構１６のカム１８の係合溝１８ｂに係合するようになっている。
【００４０】
図２に示すように、キャビネット１内の収納位置に収納されている状態の主引出し３を、使用者が把手７を把持して正面側に引き出すと、図３に示すように、主引出し３と副引出し４とは、それぞれの後部に設けられた永久磁石１３と金属片１２によって連結された状態で引き出されるようになっている。
【００４１】
また、このときのバネ機構１６内のバネ１９は、図８（ａ）に示すように、既にエネルギーが蓄積された状態となっているが、主引出し３と副引出し４が連動している状態であるので、トリガーピン１４が係合されることがなく、バネ１９はエネルギーを蓄積さした状態で保持されている。
【００４２】
図３に示すように、使用者が主引出し３を正面側にさらに引き出し続けると、主引出し３に連動されて引き出されている副引出し４が、副引出しの引出限界位置Ｓ２に到達する。このとき、使用者が主引出し３を正面側に引き出す力が、永久磁石１３と金属片１２の磁着状態を解除する方向に働くので、使用者は永久磁石１３と金属片１２の磁着する吸引力を抵抗として感知し、副引出し４が副引出しの引出限界位置Ｓ２に到達したことを認識することができる。尚、使用者が副引出し４を使用する場合には、この副引出し４が副引出しの引出限界位置Ｓ２に到達したときが最も収納部８ａを大きく開放して使用することができるので、収納物の取り出しや収納を容易に行うことができる。
【００４３】
また、使用者が主引出し３を使用する場合には、図３に示す状態から主引出し３を正面側にさらに引き出すことで、永久磁石１３と金属片１２の磁着を解除し、主引出し３と副引出し４の連動を解除する。そして、図４に示すように、主引出し３と副引出し４の連動を解除した状態から、使用者が主引出し３を正面側に引き出すことで、主引出し３に設けられたトリガーピン１４が、副引出し４の下面に設けられたバネ機構１６の係合溝１８ｂに係合する。尚、使用者はトリガーピン１４が係合溝１８ｂに係合する前であれば永久磁石１３と金属片１２の磁着が解除されていても副引出し４を使用することができる。
【００４４】
そして、図４及び図８（ａ）に示すように、使用者が主引出し３を正面側にさらに引き出すことによって、主引出し３に設けられたトリガーピン１４が、係合溝１８ｂに係合することで、トリガーピン１４がカム１８を解放回動方向に回動させる。
【００４５】
図８（ｂ）に示すように、係止部１７ｃの位置が軸１８ａと係止部１８ｄを結ぶ仮想線Ｖ１を越える位置まで、トリガーピン１４がカム１８を解放回動方向に回動させると、バネ１９が圧縮されるようになり、バネ１９に蓄積されていた弾性エネルギーが解放され、バネ１９がカム１８を強制的に回動させるようになる。
【００４６】
更に、図８（ｂ）から図８（ｃ）に示すように、バネ１９によりカム１８が強制的に解放回動方向に回動することで、カム１８の回動力が、トリガーピン１４を正面側に押圧するように働くようになる。このとき副引出し４の重量は主引出し３の重量よりも軽く、さらに主引出し３は、使用者によって把手７を把持されているので、カム１８がトリガーピン１４を正面側に押圧することで、その反力により、副引出し４が閉鎖方向（後方向）に移動されるようになる。
【００４７】
図５に示すように、バネ機構１６が設けられている副引出し４は、バネ１９の付勢力により移動エネルギーが付与され、キャビネット本体２内の収納位置まで移動する。尚、副引出し４は、収納位置の近傍で、スライドレール１５の後端部に設けられたソフトクローザー１１によって減速されて、閉鎖完了時にスムーズに副引出し４の移動が停止される。
【００４８】
そして、副引出し４がキャビネット本体２内の収納位置まで移動した後に、主引出し３が主引出しの引出限界位置Ｓ１まで引き出され、収納部５ａが上方に最も大きく開口した状態となり、使用者は主引出し３内の収納物を容易に出し入れすることができる。
【００４９】
主引出しの引出限界位置Ｓ１から主引出し３をキャビネット本体２内の収納位置に移動させる際には、先ず、図５に示す状態から使用者が把手７を掴んで主引出し３を閉鎖方向（後方向）に向かって移動させる。
【００５０】
図６及び図９（ａ）に示すように、主引出し３を閉鎖方向に向かって移動させていくと、トリガーピン１４がバネ機構１６のカム１８の係合溝１８ｂに係合する。そして、図９（ｂ）に示すように、トリガーピン１４が係合溝１８ｂに係合した状態で主引出し３をさらに閉鎖方向（後方向）に移動させることで、カム１８がトリガーピン１４により蓄積回動方向に回動される。このように、主引出し３の閉鎖方向に移動するときの移動エネルギーが、カム１８の回動によりバネ１９が伸張して弾性変形される弾性エネルギーとして変換されて蓄積される。
【００５１】
そして、図７及び図９（ｃ）に示すように、さらに主引出し３を閉鎖方向（後方向）に移動させることで、カム１８の係止部１８ｄが仮想線Ｖ１を越えるまで蓄積回動方向に回動させ、バネ１９が移動エネルギーを蓄積する。
【００５２】
更に、図７に示すように、バネ機構１６に移動エネルギーを蓄積した後に、スライドレール１０の後端部に設けられたソフトクローザー１１によって主引出し３が減速されて、閉鎖完了時にスムーズに主引出し３の移動が停止される。尚、主引出し３がキャビネット本体２内の収納位置に停止するとともに、主引出し３の永久磁石１３が副引出し４の金属片１２に磁着され、主引出し３と副引出し４が連結される。
【００５３】
以上、本実施例におけるキッチンキャビネット１では、エネルギー蓄積手段としてのバネ機構１６が、主引出し３が閉鎖方向に移動するときに移動エネルギーを蓄積することで、主引出し３と副引出し４とを引き出すときには、バネ機構１６が両引出し３，４に対していかなる反発力も生じさせないため、主引出し３と副引出し４とを引き出し易くなる。そのため主引出し３と副引出し４とが連動している状態であっても、使用者が主引出し３から手を放すことができ、副引出し４内の収納物を容易に取り出すことができる。
【００５４】
また、エネルギー蓄積手段としてのバネ機構１６が、主引出し３と副引出し４とが連動するときに、移動エネルギーを保持することで、主引出し３と副引出し４とが連動している状態では、両引出し３，４を開放方向に移動させても、閉鎖方向に移動させても、バネ機構１６に蓄積された移動エネルギーが両引出し３，４に対していかなる反発力も生じさせず、蓄積されている移動エネルギーを解放する虞もないため、両引出し３，４の引き出し操作を行い易くなる。
【００５５】
また、主引出し３が、副引出し４が引き出される引出限界位置Ｓ２よりもさらに引き出されて主引出し３と副引出し４との連動が解除された後に、エネルギー蓄積手段としてのバネ機構１６が、移動エネルギーを解放することで、主引出し３と副引出し４とが連動している状態では、使用者は、副引出し４が閉鎖方向に移動することがないことを認識しながら、両引出し３，４の引き出し操作を行うことができ、かつ使用者が、副引出し４を閉鎖方向に移動させたい場合には、主引出し３を副引出し４の引出限界位置Ｓ２よりもさらに引き出すようにすればよく、主引出し３及び副引出し４の使い勝手がよくなる。
【００５６】
尚、主引出し３と副引出し４との連動が解除されてから、主引出し３が所定距離引き出された後に、エネルギー蓄積手段としてのバネ機構１６の移動エネルギーが解放されるように設定すれば、両引出し３，４の連動が解除されたことを使用者が認識することで、使用者は、副引出し４が引出限界位置Ｓ２にあることを容易に認識することができ、使用者は、両引出し３，４の連結が解除された直後に、主引出し３を引き出す操作をやめれば、副引出し４を最も大きく開口した状態で使用することができる。
【００５７】
また、エネルギー蓄積手段としてのバネ機構１６は、弾性体としてのバネ１９を変形させることで移動エネルギーを蓄積することで、エネルギー蓄積手段を容易に構成することができる。
【００５８】
また、エネルギー蓄積手段としてのバネ機構１６は、回動自在に設けられた回動部材としてのカム１８と、このカム１８を、移動エネルギーを解放する解放回動方向、または移動エネルギーを蓄積する蓄積回動方向のいずれか一方向に回動付勢する付勢部材としてのバネ１９と、を有し、主引出し３は、前記両回動方向を切り換える切換手段としてのトリガーピン１４を備えることで、トリガーピン１４がバネ１９によるカム１８の回動付勢方向を切り換えることで、移動エネルギーがバネ機構１６に蓄積されたり、解放されたりするようになり、カム１８とバネ１９という簡素な構成でバネ機構１６を製作できる。
【００５９】
また、主引出し３と副引出し４とは、互いに設けられた磁性体としての金属片１２及び永久磁石１３の吸引力によって連動されることで、金属片１２及び永久磁石１３の吸引力を利用して、主引出し３と副引出し４との連動及び解除を容易に行うことができる。
【００６０】
また、副引出し４の奥行き長さは、主引出し３の奥行き長さよりも短く構成され、主引出し３と副引出し４とは、互いの後部同士が磁性体としての金属片１２及び永久磁石１３により連結されることで、主引出し３の前部側には、副引出し４に干渉されない収納空間としての空間部９が形成されるようになり、副引出し４を閉鎖方向に移動させなくても主引出し３の前部側に収納された収納物を取り出すことができ、かつ主引出し３の前部側に背の高い収納物を収納させることもできる。
【００６１】
また、エネルギー蓄積手段としてのバネ機構１６が移動エネルギーを蓄積した後に、主引出し３が閉鎖方向に移動する移動速度を減速させる減速手段としてのソフトクローザー１１を備えることで、主引出し３が閉鎖方向に移動する移動エネルギーが、ソフトクローザー１１により低減されていない状態で、移動エネルギーをバネ機構１６に蓄積できるため、大きな移動エネルギーを蓄積し易くなっており、かつソフトクローザー１１により主引出し３の閉鎖完了時にスムーズに主引出し３の移動を停止させることができる。
【実施例２】
【００６２】
次に、実施例２に係るキャビネットにつき、図１０及び図１１を参照して説明する。尚、前記実施例と同一構成で重複する構成を省略する。図１０は、実施例２における主引出しの引出し時にトリガーピンが錘機構のカムに係合する状態を示す拡大縦断側面図であり、図１１は、錘機構が動作して後方に付勢される状態を示す拡大縦断側面図である。以下、図１０、図１１の紙面左方側をキャビネットの正面側（前方側）として説明する。
【００６３】
図１０に示すように、実施例２におけるエネルギー蓄積手段としての錘機構２１は、副引出し４の左右側部８ｂのスライドレール１５下方に設けられている。また、実施例２における錘機構２１は、実施例１のバネ機構１６のバネ１９と異なり、移動エネルギーを蓄積する手段として錘２３を用いている。尚、この錘２３が実施例２における付勢部材となっている。
【００６４】
より詳述すると、エネルギー蓄積手段としての錘機構２１は、下部（紙面下方）に開口部２５ｂを有するケース体２５内で、端部に錘２３を一体的に設けた本実施例における回動部材としてのカム２２が軸支されている。実施例２では、副引出し４を閉鎖方向に移動させる移動エネルギーを錘機構２１の錘２３の位置エネルギーとして蓄積するようになっている。
【００６５】
尚、図１０に示すように、錘機構２１のカム２２は、錘２３がカム２２の軸２２ｂを通って垂直に延びる仮想垂直線Ｖ２よりも前方側にあるときには、錘２３はカム２２を蓄積回動方向（側面視で反時計回り）に回動付勢する。そして、カム２２の回動はストッパー２０により規制され、カム２２は錘２３の位置エネルギーを蓄積できる。また、図１１に示すように、錘２３が仮想垂直線Ｖ２よりも後方側にあるときには、錘２３はカム２２を解放回動方向（側面視で時計回り）に回動付勢するようになっている。
【００６６】
また、主引出し３の後端部に設けられている本実施例における切換手段としてのトリガーピン２４は、主引出し３の後端部から立設されて水平に屈曲されており、正面視でＬ字形状をなしている。トリガーピン２４の端部は、錘機構２１のカム２２に形成された係合溝２２ａに係合可能となっている。
【００６７】
図１０に示すように、錘機構２１が仮想垂直線Ｖ２よりも前方側に位置しているとき、すなわち錘機構２１に位置エネルギーが蓄積されている状態から、位置エネルギーを解放する際には、先ず、主引出し３を引き出すことによって、主引出し３に設けられたトリガーピン２４をカム２２の係合溝２２ａに係合させる。そして、主引出し３を使用者が引き出すことでカム２２が解放回動方向に回動を開始する。
【００６８】
図１１に示すように、カム２２がトリガーピン２４により解放回動方向に回動され、この回動によって錘２３が仮想垂直線Ｖ２よりも後方になると、錘２３がカム２２を強制的に解放回動方向に回動させようとする。そして、錘２３の位置エネルギーがカム２２を解放回動方向に強制的に回動させることで、カム２２の回動力が、トリガーピン２４を正面側に押圧するように働くようになる。カム２２がトリガーピン２４を正面側に押圧することで、副引出し４が閉鎖方向（後方向）に移動されるようになる。
【００６９】
尚、錘機構２１に再び位置エネルギーを蓄積するには、引き出された主引出し３をキャビネット本体２内の収納位置に移動させる際に、トリガーピン２４を図１１に示すように、係合溝２２ａに係合させることで、カム２２が蓄積回動方向に回動され、錘２３を仮想垂直線Ｖ２よりも正面側に移動され、主引出し３の閉鎖方向への移動エネルギーが錘機構２１の錘２３の位置エネルギーとして蓄積される。
【００７０】
以上、本発明の実施例を図面により説明してきたが、具体的な構成はこれら実施例に限られるものではなく、本発明の要旨を逸脱しない範囲における変更や追加があっても本発明に含まれる。
【００７１】
例えば、前記実施例１，２では、主引出し３と副引出し４とを磁性体としての永久磁石１３と金属片１２を磁着させることによって連結させるようにしているが、主引出し３と副引出し４とを連結（連動）させるためには、必ずしも磁性体を用いる必要はなく、主引出し３と副引出し４に雄具と雌具からなるジョイント部材を設け、雄具と雌具とを連結させつつ、所要の外力が加わった際に分離できるようにしてもよい。
【００７２】
また、前記実施例１，２では、主引出し３の後端上部に永久磁石１３を設け、副引出し４の後端下部に金属片１２を設けているが、例えば、主引出し３の側部５ｂの途中上部に永久磁石１３を設けるとともに、副引出し４の前端下部に金属片１２を設けてもよいし、また、副引出し４の奥行き長さを主引出し３の奥行き長さと略同一に形成して、主引出し３の前端上部に永久磁石１３を設けるとともに、副引出し４の前端下部に金属片１２を設けるようにしてもよく、主引出し３及び副引出し４において永久磁石１３や金属片１２を設ける位置は、特に限定されるものではない。
【００７３】
また、前記実施例１，２では、主引出し３に永久磁石１３を設け、副引出し４に金属片１２を設けているが、主引出し３と副引出し４とに、それぞれ極性の異なる永久磁石を設けるようにしてもよいし、主引出し３に金属片を設け、副引出し４に永久磁石を設けるようにしてもよい。
【００７４】
また、前記実施例１では、移動エネルギーを蓄積する弾性体としてバネ１９を用いているが、弾性体はバネ１９に限らず、例えば、エアダンパー内の空気などの弾性を有する流体であってもよい。
【００７５】
また、前記実施例１では、バネ機構１６がバネ１９を伸張させることにより弾性エネルギーを蓄積する構成となっているが、バネ機構１６がバネ１９を圧縮させて弾性エネルギーを蓄積する構成としてもよい。
【００７６】
また、前記実施例１，２では、主引出し３と副引出し４の連動が解除された後に、主引出し３が所定距離引き出された後に、バネ機構１６に蓄積された移動エネルギーを解放されているが、主引出し３と副引出し４の連動が解除されると同時に移動エネルギーが解放されてもよい。
【００７７】
また、前記実施例１，２では、主引出し３に切換手段としてのトリガーピン１４（２４）が設けられ、主引出し３と副引出し４の連動が解除された後に、エネルギー蓄積手段としてのバネ機構１６（錘機構２１）に蓄積された移動エネルギーを解放されているが、切換手段としてのトリガーピンをキャビネット本体２の側板２ａに設けたり、切換手段をトリガーピンではなく使用者が押圧するスイッチ等により構成することで、主引出し３と副引出し４の連動が解除される前に、エネルギー蓄積手段の移動エネルギーが解放されるようにしてもよい。
【００７８】
また、前記実施例１では、副引出し４の奥行き長さを主引出し３の奥行き長さよりも短く形成し、主引出し３の前板６背面と副引出し４の前端部正面間に形成された空間部９に、背の高い収納物を収納可能としているが、主引出し３及び副引出し４の奥行き長さを略同一寸法に形成し、主引出し３と副引出し４とが連動している状態では、副引出し４によって主引出し３の収納部５ａが隠蔽されるようにしてもよい。
【００７９】
また、前記実施例１では、トリガーピン１４をカム１８の係合溝１８ｂに係合させてカム１８を回動させているが、主引出し３にラックギアを設け、カム１８の端縁に歯形を形成し、ラックギアとカム１８に形成した歯形を噛合させることで、カム１８を回動させるようにしてもよい。
【図面の簡単な説明】
【００８０】
【図１】実施例１におけるキャビネットの全体像を示す斜視図である。
【図２】キャビネット本体内に主引出し及び副引出しが収納された状態を示す拡大縦断側面図である。
【図３】副引出しが引出限界位置まで引き出された状態を示す拡大縦断側面図である。
【図４】主引出しのトリガーピンがバネ機構に係合する状態を示す拡大縦断側面図である。
【図５】バネ機構が動作して副引出しが後退した状態を示す拡大縦断側面図である。
【図６】主引出しを後方に向かって移動させる際にトリガーピンがバネ機構に係合する状態を示す拡大縦断側面図である。
【図７】バネ機構にエネルギーが蓄積されてソフトクローザーが働く状態を示す拡大縦断側面図である。
【図８】（ａ）は、主引出しの引出し時にトリガーピンがバネ機構のカムに係合する状態を示す横断平面図であり、（ｂ）は、バネ機構が動作して後方に付勢される状態を示す横断平面図であり、（ｃ）は、バネ機構が後退する状態を示す横断平面図である。
【図９】（ａ）は、主引出しの閉鎖時にトリガーピンがバネ機構のカムに係合する状態を示す横断平面図であり、（ｂ）は、バネ機構にエネルギーが蓄積される状態を示す横断平面図であり、（ｃ）は、バネ機構にエネルギーが蓄積完了した状態を示す横断平面図である。
【図１０】実施例２における主引出しの引出し時にトリガーピンが錘機構のカムに係合する状態を示す拡大縦断側面図である。
【図１１】錘機構が動作して後方に付勢される状態を示す拡大縦断側面図である。
【符号の説明】
【００８１】
１                キャビネット
２                キャビネット本体
３                主引出し
４                副引出し
９                空間部（収納空間）
１１              ソフトクローザー（減速手段）
１２              金属片（磁性体）
１３              永久磁石（磁性体）
１４              トリガーピン（切換手段）
１６              バネ機構（エネルギー蓄積手段）
１８              カム（回動部材）
１９              バネ（弾性体，付勢部材）
２１              錘機構（エネルギー蓄積手段）
２２              カム（回動部材）
２３              錘（付勢部材）
２４              トリガーピン（切換手段）
【図１】
0005009728.tif 000002
【図２】
0005009728.tif 000003
【図３】
0005009728.tif 000004
【図４】
0005009728.tif 000005
【図５】
0005009728.tif 000006
【図６】
0005009728.tif 000007
【図７】
0005009728.tif 000008
【図８】
0005009728.tif 000009
【図９】
0005009728.tif 000010
【図１０】
0005009728.tif 000011
【図１１】
0005009728.tif 000012